(57)【要約】【課題】簡易な構成で表示画像の画質劣化を高精度に抑制することができる技術を提供する。【解決手段】本発明の表示装置は、複数の光源部を有する発光手段と、発光手段からの光を画像データに基づいて変調する表示手段と、光源部の第１目標輝度を入力画像データに基づいて決定する第１決定手段と、第１目標輝度を補正することで第２目標輝度を取得する第１補正手段と、光源部の第１駆動値を第２目標輝度に基づいて決定する第２決定手段と、第１駆動値を補正することで第２駆動値を取得する第２補正手段と、発光手段からの光の入射輝度を第２目標輝度に基づいて推定する推定手段と、推定された入射輝度に基づいて入力画像データを補正する第３補正手段と、第２目標輝度と光源部の実際の発光輝度との差が閾値以下となるように第１補正手段のパラメータと第２補正手段のパラメータとを設定する設定手段と、を有する。【選択図】図１
2018031955.tif 000002
【特許請求の範囲】
【請求項１】
複数の光源部を有する発光手段と、
前記発光手段から発せられた光を画像データに基づいて変調することにより画像を表示する表示手段と、
各光源部について、前記光源部の目標輝度である第１目標輝度を、入力画像データに基づいて決定する第１決定手段と、
前記目標輝度の時間変化が抑制されるように前記第１目標輝度を補正する第１補正処理を各光源部について行うことにより、各光源部の第２目標輝度を取得する第１補正手段と、
各光源部について、前記光源部の発光輝度を制御する駆動値である第１駆動値を、前記第２目標輝度に基づいて決定する第２決定手段と、
前記駆動値の時間変化が抑制されるように前記第１駆動値を補正する第２補正処理を各光源部について行うことにより、各光源部の第２駆動値を取得する第２補正手段と、
前記発光手段から発せられた光の、前記表示手段への入射時における輝度である入射輝度を、各光源部の前記第２目標輝度に基づいて推定する推定手段と、
前記推定手段によって推定された入射輝度に基づいて、前記入力画像データを補正する第３補正手段と、
各光源部の第２目標輝度と、各光源部の実際の発光輝度との差が第１閾値以下となるように、前記第１補正処理で使用される第１パラメータと、前記第２補正処理で使用される第２パラメータとを設定する設定手段と、
を有することを特徴とする表示装置。
【請求項２】
前記設定手段は、前記第１駆動値への前記駆動値の時間変化が前記第１目標輝度への前記目標輝度の時間変化よりも速い速度で行われるように、前記第１パラメータと前記第２パラメータとを設定する
ことを特徴とする請求項１に記載の表示装置。
【請求項３】
前記駆動値は、前記光源部の駆動時間に関する値であり、
前記表示装置は、
各光源部の前記第１駆動値に基づいて、前記複数の光源部にそれぞれ対応する複数の駆動時間の総和である総駆動時間が第２閾値よりも長い場合に、前記総駆動時間が前記第２閾値以下となるように各光源部の前記第１駆動値を補正することにより、各光源部の第３駆動値を取得する第４補正手段、
をさらに有し、
前記第２補正処理は、前記第３駆動値を補正する処理である
ことを特徴とする請求項１または２に記載の表示装置。
【請求項４】
前記第２決定手段は、各光源部の発光効率を考慮して各光源部の前記第１駆動値を決定する
ことを特徴とする請求項１〜３のいずれか１項に記載の表示装置。
【請求項５】
前記発光手段から発せられた光の輝度を検出する検出手段、をさらに有し、
前記第２決定手段は、各光源部の前記第２目標輝度と、前記検出手段の検出結果とに基づいて、各光源部の前記第１駆動値を決定する
ことを特徴とする請求項４に記載の表示装置。
【請求項６】
ユーザからの要求を受け付け可能な受付手段、をさらに有し、
前記設定手段は、前記要求があった場合に、
前記第１パラメータとして、前記要求に応じた第１の値を設定し、
前記第２パラメータとして、前記要求に応じた第２の値を設定する
ことを特徴とする請求項１〜５のいずれか１項に記載の表示装置。
【請求項７】
前記要求は、前記表示手段によって表示された前記画像のコントラストに関する要求である
ことを特徴とする請求項６に記載の表示装置。
【請求項８】
前記要求は、前記発光手段に供給される電流値に関する要求であり、
前記設定手段は、高い電流値に関する要求があった場合に、低い電流値に関する要求があった場合の第２パラメータに比べ前記駆動値の時間変化の抑制度合いが小さい第２パラメータを設定する
ことを特徴とする請求項６に記載の表示装置。
【請求項９】
前記表示装置では、動画像データの各フレームの画像データが、前記入力画像データとして順に使用され、
前記表示装置は、前記動画像データのシーンの切り替わりを検出するシーンチェンジ検出手段、をさらに有し、
前記設定手段は、前記動画像データのシーンの切り替わりがあった場合に、
前記第１パラメータとして、第３の値を設定し、
前記第２パラメータとして、第４の値を設定し、
前記第１パラメータを、前記第３の値から、前記目標輝度の時間変化の抑制度合いが前記第３の値よりも大きい第５の値へ段階的に変更し、
前記第２パラメータを、前記第４の値から、前記駆動値の時間変化の抑制度合いが前記第４の値よりも大きい第６の値へ段階的に変更する
ことを特徴とする請求項１〜８のいずれか１項に記載の表示装置。
【請求項１０】
前記表示装置は、複数の表示モードを有しており、
前記設定手段は、前記表示装置の表示モードの切り替わりがあった場合に、
前記第１パラメータとして、第７の値を設定し、
前記第２パラメータとして、第８の値を設定し、
前記第１パラメータを、前記第７の値から、前記目標輝度の時間変化の抑制度合いが前記第３の値よりも大きい第５の値へ段階的に変更し、
前記第２パラメータを、前記第８の値から、前記駆動値の時間変化の抑制度合いが前記第４の値よりも大きい第６の値へ段階的に変更する
ことを特徴とする請求項１〜９のいずれか１項に記載の表示装置。
【請求項１１】
前記目標輝度が前記光源部の実際の発光輝度に近づくように前記駆動値の時間変化の抑制度合いに基づいて前記第２目標輝度を補正する第３補正処理を各光源部について行うことにより、各光源部の第３目標輝度を取得する第５補正手段、をさらに有し、
前記推定手段は、前記入射輝度を、各光源部の前記第３目標輝度に基づいて推定する
ことを特徴とする請求項１〜１０のいずれか１項に記載の表示装置。
【請求項１２】
複数の光源部を有する発光手段と、
前記発光手段から発せられた光を画像データに基づいて変調することにより画像を表示する表示手段と、
を有する表示装置の制御方法であって、
各光源部について、前記光源部の目標輝度である第１目標輝度を、入力画像データに基づいて決定する第１決定ステップと、
前記目標輝度の時間変化が抑制されるように前記第１目標輝度を補正する第１補正処理を各光源部について行うことにより、各光源部の第２目標輝度を取得する第１補正ステッ
プと、
各光源部について、前記光源部の発光輝度を制御する駆動値である第１駆動値を、前記第２目標輝度に基づいて決定する第２決定ステップと、
前記駆動値の時間変化が抑制されるように前記第１駆動値を補正する第２補正処理を各光源部について行うことにより、各光源部の第２駆動値を取得する第２補正ステップと、
前記発光手段から発せられた光の、前記表示手段への入射時における輝度である入射輝度を、各光源部の前記第２目標輝度に基づいて推定する推定ステップと、
前記推定ステップにおいて推定された入射輝度に基づいて、前記入力画像データを補正する第３補正ステップと、
各光源部の第２目標輝度と、各光源部の実際の発光輝度との差が第１閾値以下となるように、前記第１補正処理で使用される第１パラメータと、前記第２補正処理で使用される第２パラメータとを設定する設定ステップと、
を有することを特徴とする制御方法。
【請求項１３】
請求項１２に記載の制御方法の各ステップをコンピュータに実行させるためのプログラム。
【発明の詳細な説明】
【技術分野】
【０００１】
本発明は、表示装置に関する。
【背景技術】
【０００２】
表示装置で表示された画像（表示画像）の輝度の上限の向上と、表示画像のコントラストの向上とが望まれている。液晶表示装置では、バックライトユニットのローカルデミング制御を行うことにより、白色の表示輝度（画面の輝度）を高め、黒色の表示輝度を低減することができる。それにより、表示画像の輝度の上限の向上と、表示画像のコントラストの向上との両方を実現することができる。ローカルデミング制御については、例えば、特許文献１に開示されている。
【０００３】
ローカルデミング制御では、バックライトユニットが有する複数の光源部のそれぞれの発光輝度が個別に制御される。そのため、液晶パネルの透過率が入力画像データに応じた透過率に制御される場合には、ローカルデミング制御によって表示画像の画質劣化が生じることがある。具体的には、ローカルデミング制御によってバックライトユニットの発光輝度が基準の発光輝度から変化すると、入力画像データに応じた表示輝度が実現されなくなる。さらに、ローカルデミング制御によって光源部の発光輝度が複数の光源部の間でばらつくと、表示画像に輝度ムラが生じる。
【０００４】
このような画質劣化を抑制するための方法として、入射輝度（バックライトユニットから発せられ光の、液晶パネルへの入射時における輝度）を推定し、且つ、推定した入射輝度に基づいて入力画像データを補正する方法が提案されている。補正後の画像データに応じた透過率に液晶パネルの透過率が制御されることにより、画面内の各位置において、入力画像データに応じた表示輝度を実現することができる。
【０００５】
しかしながら、推定した入射輝度に基づいて入力画像データを補正しても、ローカルデミング制御によって、表示画像の他の画質劣化が生じることがある。具体的には、ローカルデミング制御によってバックライトユニットの発光輝度が急激に変化すると、「フリッカ」と呼ばれるちらつきが画面に生じる。バックライトユニットの発光輝度の時間変化（時間的な変化）を抑制すれば、このようなフリッカを抑制することができる。
【０００６】
また、バックライトユニットの発光輝度を高めると、表示輝度を高めることができるものの、バックライトユニットの消費電力が増す。そして、電力（電源が液晶表示装置に出力可能な電力、液晶表示装置に入力可能な電力、等）には上限があり、バックライトユニットの発光輝度を高めることで、液晶表示装置に必要な電力（必要電力）が上限を超えることがある。各光源部の駆動値を補正すれば、上限に対する必要電力の超過を抑制することができる。駆動値は、光源部の発光輝度を制御する値である。しかしながら、各光源部の駆動値の補正によってバックライトユニットの発光輝度が急激に変化することがあり、フリッカが画面に生じることがある。各光源部の駆動値の時間変化を抑制すれば、このようなフリッカを抑制することができる。
【０００７】
ここで、入射輝度の推定方法として、各光源部の目標輝度に基づいて入射輝度を推定する第１の方法と、各光源部の駆動値に基づいて入射輝度を推定する第２の方法とが考えられる。しかしながら、駆動値の補正などによって、目標輝度と大きく異なる発光輝度に各光源部の発光輝度が制御されることがある。そのため、第１の方法では、表示画像の画質劣化を高精度に抑制することができない。また、光源部の発光効率が複数の光源部の間でばらつく場合には、或る発光輝度を実現するための駆動値は、複数の光源部の間でばらつ
く。そのため、第２の方法で入射輝度を高精度に推定するためには、各光源部の発光効率を考慮する必要があり、処理負荷が増大してしまう。
【先行技術文献】
【特許文献】
【０００８】
【特許文献１】特開２００２−９９２５０号公報
【発明の概要】
【発明が解決しようとする課題】
【０００９】
本発明は、簡易な構成で表示画像の画質劣化を高精度に抑制することができる技術を提供することを目的とする。
【課題を解決するための手段】
【００１０】
本発明の第１の態様は、
複数の光源部を有する発光手段と、
前記発光手段から発せられた光を画像データに基づいて変調することにより画像を表示する表示手段と、
各光源部について、前記光源部の目標輝度である第１目標輝度を、入力画像データに基づいて決定する第１決定手段と、
前記目標輝度の時間変化が抑制されるように前記第１目標輝度を補正する第１補正処理を各光源部について行うことにより、各光源部の第２目標輝度を取得する第１補正手段と、
各光源部について、前記光源部の発光輝度を制御する駆動値である第１駆動値を、前記第２目標輝度に基づいて決定する第２決定手段と、
前記駆動値の時間変化が抑制されるように前記第１駆動値を補正する第２補正処理を各光源部について行うことにより、各光源部の第２駆動値を取得する第２補正手段と、
前記発光手段から発せられた光の、前記表示手段への入射時における輝度である入射輝度を、各光源部の前記第２目標輝度に基づいて推定する推定手段と、
前記推定手段によって推定された入射輝度に基づいて、前記入力画像データを補正する第３補正手段と、
各光源部の第２目標輝度と、各光源部の実際の発光輝度との差が第１閾値以下となるように、前記第１補正処理で使用される第１パラメータと、前記第２補正処理で使用される第２パラメータとを設定する設定手段と、
を有することを特徴とする表示装置である。
【００１１】
本発明の第２の態様は、
複数の光源部を有する発光手段と、
前記発光手段から発せられた光を画像データに基づいて変調することにより画像を表示する表示手段と、
を有する表示装置の制御方法であって、
各光源部について、前記光源部の目標輝度である第１目標輝度を、入力画像データに基づいて決定する第１決定ステップと、
前記目標輝度の時間変化が抑制されるように前記第１目標輝度を補正する第１補正処理を各光源部について行うことにより、各光源部の第２目標輝度を取得する第１補正ステップと、
各光源部について、前記光源部の発光輝度を制御する駆動値である第１駆動値を、前記第２目標輝度に基づいて決定する第２決定ステップと、
前記駆動値の時間変化が抑制されるように前記第１駆動値を補正する第２補正処理を各光源部について行うことにより、各光源部の第２駆動値を取得する第２補正ステップと、
前記発光手段から発せられた光の、前記表示手段への入射時における輝度である入射輝
度を、各光源部の前記第２目標輝度に基づいて推定する推定ステップと、
前記推定ステップにおいて推定された入射輝度に基づいて、前記入力画像データを補正する第３補正ステップと、
各光源部の第２目標輝度と、各光源部の実際の発光輝度との差が第１閾値以下となるように、前記第１補正処理で使用される第１パラメータと、前記第２補正処理で使用される第２パラメータとを設定する設定ステップと、
を有することを特徴とする制御方法である。
【００１２】
本発明の第３の態様は、本発明の第２の態様である制御方法の各ステップをコンピュータに実行させるためのプログラムである。
【発明の効果】
【００１３】
本発明によれば、簡易な構成で表示画像の画質劣化を高精度に抑制することができる。
【図面の簡単な説明】
【００１４】
【図１】実施例１に係る表示装置の構成例を示すブロック図
【図２】実施例１に係る入力画像データとその特徴量の一例を示す図
【図３】実施例１に係る特徴量、基準輝度、及び、目標輝度の一例を示す図
【図４】実施例１に係る発光輝度と駆動時間の一例を示す図
【図５】実施例１に係る入力画像データの一例を示す図
【図６】実施例１に係る目標輝度の一例を示す図
【図７】実施例１に係る駆動値の一例を示す図
【図８】実施例１に係る駆動値の一例を示す図
【図９】実施例１に係る実際の発光輝度の一例を示す図
【図１０】実施例１に係る時定数の一例を示す図
【図１１】実施例２に係る表示装置の構成例を示すブロック図
【発明を実施するための形態】
【００１５】
＜実施例１＞
以下、本発明の実施例１について説明する。なお、以下では、本実施例に係る表示装置が透過型の液晶表示装置である場合の例を説明するが、本実施例に係る表示装置は透過型の液晶表示装置に限らない。本実施例に係る表示装置は、発光部と、発光部からの光を画像データに基づいて変調することにより画像を表示する表示部と、を有する表示装置であればよい。例えば、本実施例に係る表示装置は、反射型の液晶表示装置であってもよい。また、本実施例に係る表示装置は、液晶素子の代わりにＭＥＭＳ（Ｍｉｃｒｏ  Ｅｌｅｃｔｒｏ  Ｍｅｃｈａｎｉｃａｌ  Ｓｙｓｔｅｍ）シャッターを用いたＭＥＭＳシャッター方式表示装置であってもよい。
【００１６】
図１は、本実施例に係る表示装置１の構成例を示すブロック図である。表示装置１は、液晶パネル部２、バックライトユニット３、特徴量取得部４、ＢＬ基準輝度決定部５、ＢＬ輝度決定部６、第１時間ＬＰＦ処理部７、ＢＬ輝度記憶部８、入射輝度推定部９、画像補正値決定部１０、及び、画像補正部１１を有する。また、表示装置１は、ＲＧＢ−ＢＬ輝度決定部１２、駆動時間決定部１３、総駆動時間決定部１４、時間補正値決定部１５、時間補正値選択部１６、駆動時間補正部１７、第２時間ＬＰＦ処理部１８、及び、駆動時間記憶部１９を有する。また、表示装置１は、ＢＬ輝度検出部２０、第２補正値決定部２１、第１補正値記憶部２２、ユーザＩ／Ｆ部２３、シーンチェンジ検出部２４、及び、パラメータ設定部２５を有する。
【００１７】
液晶パネル部２は、バックライトユニット３からの光を画像データに基づいて変調することにより画像を表示する。本実施例では、液晶パネル部２は、液晶ドライバ、コントロ
ール基板、及び、液晶パネルを有する。液晶パネルは、複数の液晶素子を有する。コントロール基板は、液晶パネル部２に入力された画像データに基づいて、液晶ドライバの処理を制御する。液晶ドライバは、コントロール基板からの指示（画像データに基づく指示）に応じて、液晶パネルの各液晶素子を駆動する。それにより、各液晶素子の透過率（開口率；変調率）が、液晶パネル部２に入力された画像データに基づく値に制御される。バックライトユニット３からの光が各液晶素子を透過することにより、画面に画像が表示される。
【００１８】
バックライトユニット３は、複数の光源部を有する。各光源部は、１つ以上の光源（発光素子）を有する。光源としては、発光ダイオード（ＬＥＤ）、有機ＥＬ素子、冷陰極管、等を使用することができる。本実施例では、バックライトユニット３は、複数の光源、各光源の発光を制御する制御回路、及び、各光源から発せられた光を拡散させる光学ユニットを有する。バックライトユニット３は、例えば、水平方向ｍ個×垂直方向ｎ個の光源部を有する。本実施例では、バックライトユニット３は、水平方向１０個×垂直方向６個の光源部を有する。また、本実施例では、各光源部は、発光色が互いに異なる複数の色光源部を有する。具体的には、各光源部は、赤色光を発する色光源部であるＲ光源部、緑色光を発する色光源部であるＧ光源部、及び、青色光を発する色光源部であるＢ光源部を有する。各色光源部は、１つ以上の光源を有する。例えば、赤色光を発するＬＥＤであるＲ−ＬＥＤがＲ光源部として使用され、緑色光を発するＬＥＤであるＧ−ＬＥＤがＧ光源部として使用され、青色光を発するＬＥＤであるＢ−ＬＥＤがＢ光源部として使用される。本実施例では、Ｒ光源部からの赤色光、Ｇ光源部からの緑色光、及び、Ｂ光源部からの青色光が、混色し、液晶パネルの背面で白色光になるように、複数の光源部、光学ユニット、及び、液晶パネルが配置されている。
【００１９】
なお、色光源部は、Ｒ光源部、Ｇ光源部、及び、Ｂ光源部に限られない。バックライトユニット３は、Ｒ光源部、Ｇ光源部、及び、Ｂ光源部の少なくともいずれかを有していなくてもよい。バックライトユニット３は、黄色光を発する色光源部であるＹ光源部などを有していてもよい。また、複数の光源部の配置はマトリクス状の配置に限られない。例えば、複数の光源部が千鳥格子状に配置されていてもよい。
【００２０】
本実施例では、複数の光源部が、画面の領域を構成する複数の分割領域にそれぞれ対応付けられている。特徴量取得部４は、複数の光源部のそれぞれについて、その光源部の分割領域に対応する画像領域（分割領域に表示される画像領域）における特徴量を、入力画像データから取得する。そして、特徴量取得部４は、各光源部に対して取得した特徴量を、ＢＬ基準輝度決定部５とシーンチェンジ検出部２４とへ通知（出力）する。本実施例では、特徴量取得部４は、分割領域に対応する画像領域における階調値の最大値を、当該分割領域の光源部に対する特徴量として取得する。
【００２１】
ここで、各画素値がＲＧＢ値（赤色の階調値であるＲ値、緑色の階調値であるＧ値、及び、青色の階調値であるＢ値の組み合わせ）であるＲＧＢ画像データが入力画像データとして取得される場合を考える。この場合には、最大Ｒ値（Ｒ値の最大値）が特徴量として取得されてもよいし、最大Ｇ値（Ｇ値の最大値）が特徴量として取得されてもよいし、最大Ｂ値（Ｂ値の最大値）が特徴量として取得されてもよい。最大Ｒ値、最大Ｇ値、及び、最大Ｂ値のうちの最大値が、特徴量として取得されてもよい。各画素についてＲＧＢ値からＹ値（輝度値）が算出されてもよい。そして、Ｙ値の最大値が特徴量として取得されてもよい。
【００２２】
特徴量取得部４の処理の具体例を、図２（Ａ），２（Ｂ）を用いて説明する。図２（Ａ）は、入力画像データの一例を示す。図２（Ａ）は、入力画像データの階調値が１０ビットの値（０〜１０２３）である場合の例を示す。図２（Ａ）では、階調値が大きいほど（
輝度が高いほど）白色に近く、且つ、階調値が小さいほど（輝度が低いほど）黒色に近い色で、階調値が示されている。図２（Ａ）において、白色は階調値１０２３に対応し、黒色は階調値０に対応する。図２（Ａ）の入力画像データには、階調値が１０２３である３つのオブジェクト（四角形の２つのオブジェクト、および、円形の１つのオブジェクト）が存在している。そして、図２（Ａ）の入力画像データでは、左から右へ進む方向において、背景の階調値が５１２から０へ変化している。
【００２３】
図２（Ｂ）は、各分割領域（各光源部）に対して取得された特徴量の一例を示す。図２（Ｂ）は、図２（Ａ）の入力画像データから取得された特徴量を示す。図２（Ｂ）において、水平方向に並んだ数値（１〜１０）は、分割領域の水平位置（水平方向における位置）を示し、垂直方向に並んだ数値（１〜６）は、分割領域の垂直位置（垂直方向における位置）を示す。図２（Ｂ）に示すように、オブジェクトの少なくとも一部を含む分割領域では、特徴量（階調値の最大値；最大階調値）として１０２３が取得されている。そして、オブジェクトを含まない分割領域では、水平位置の増加に伴い、特徴量が５１２から０へ変化している。
【００２４】
なお、光源部に対応する領域（対応領域）は、上記分割領域に限られない。対応領域は他の対応領域から離れていてもよいし、対応領域の少なくとも一部が他の対応領域の少なくとも一部に重なっていてもよい。対応領域と光源の対応関係は、１対１の対応関係でなくてもよい。例えば、１つの対応領域に対して２つ以上の光源が対応付けられていてもよい。対応領域は、画面の領域の一部であってもよいし、画面の領域の全部であってもよい。
【００２５】
なお、入力画像データはＲＧＢ画像データに限られない。例えば、各画素値がＹＣｂＣｒ値（輝度値であるＹ値、色差値であるＣｂ値、及び、色差値であるＣｒ値の組み合わせ）であるＹＣｂＣｒ画像データが、入力画像データとして取得されてもよい。また、特徴量も特に限定されない。例えば、特徴量として、階調値の他の代表値（最小値、平均値、中間値、最頻値、等）、階調値のヒストグラム、等が使用されてもよい。複数の光源部の間で共通の特徴量が取得されてもよい。例えば、複数の光源部の間で共通の特徴量として、入力画像データの画像領域全体に対応する特徴量が取得されてもよい。
【００２６】
ＢＬ基準輝度決定部５は、複数の光源部のそれぞれについて、その光源部の発光輝度（発光量）の基準である基準輝度を決定する。そして、ＢＬ基準輝度決定部５は、各光源部の基準輝度をＢＬ輝度決定部６へ通知する。本実施例では、ＢＬ基準輝度決定部５は、複数の光源部のそれぞれについて、その光源部に対して取得された特徴量に応じて、当該光源部の基準輝度を決定する。
【００２７】
本実施例では、図３（Ａ）の対応関係を示すルック・アップ・テーブル（ＬＵＴ）が予め用意されている。図３（Ａ）の対応関係は、特徴量と基準輝度との対応関係である。図３（Ａ）の横軸は特徴量を示し、図３（Ａ）の縦軸は基準輝度を示す。基準輝度（発光輝度）０［％］は、光源部が消灯している状態に対応し、基準輝度１００［％］は、上限の発光輝度で光源部が発光している状態に対応する。ＢＬ基準輝度決定部５は、上記ＬＵＴを用いて、特徴量から基準輝度を決定する。図２（Ｂ）の特徴量が取得された場合には、図３（Ａ）の対応関係から、図３（Ｂ）の基準輝度が決定される。
【００２８】
なお、基準輝度の決定方法は上記方法に限られない。例えば、ＬＵＴの代わりに、特徴量と基準輝度との対応関係を示す関数が使用されてもよい。特徴量と基準輝度との対応関係は図３（Ａ）の対応関係に限られない。特徴量と基準輝度との対応関係は特に限定されない。パラメータ設定部２５からの指示に応じてＢＬ基準輝度決定部５がＬＵＴを書き替えて使用してもよい。パラメータ設定部２５からＢＬ基準輝度決定部５へＬＵＴが通知さ
れ、通知されたＬＵＴがＢＬ基準輝度決定部５で使用されてもよい。パラメータ設定部２５は、例えば、ユーザからの要求に応じて、ＬＵＴを書き替えるための指示、ＬＵＴの通知、等を行う。入力画像データの種類、表示装置１の使用環境、等に応じて、ＬＵＴを書き替えるための指示、ＬＵＴの通知、等が行われてもよい。
【００２９】
ＢＬ輝度決定部６は、複数の光源部のそれぞれについて、その光源部の発光輝度の目標である目標輝度を、入力画像データに基づいて決定する。即ち、ＢＬ輝度決定部６は、各光源部の目標輝度を入力画像データに基づいて個別に決定する。以後、ＢＬ輝度決定部６によって決定された目標輝度を「第１目標輝度」と記載する。そして、ＢＬ輝度決定部６は、各光源部の第１目標輝度を、第１時間ＬＰＦ処理部７へ通知する。本実施例では、ＢＬ輝度決定部６は、複数の光源部のそれぞれについて、その光源部に対して決定された基準輝度と、ユーザによって指定された輝度（ユーザ指定輝度）とに基づいて、当該光源部の第１目標輝度を決定する。本実施例では、表示輝度（画面の輝度）の上限がユーザによって指定される。「表示輝度の上限」は「階調値の上限に対応する表示輝度」とも言える。ユーザ指定輝度は、例えば、ユーザからの要求に応じて、パラメータ設定部２５からＢＬ輝度決定部６へ通知される。なお、ユーザ指定輝度は、表示輝度の上限に限られない。例えば、階調値の上限よりも小さい他の階調値に対応する表示輝度が、ユーザによって指定されてもよい。また、第１目標輝度の決定方法は特に限定されない。例えば、基準輝度が第１目標輝度として使用されてもよい。
【００３０】
第１目標輝度は、例えば、以下の式１を用いて算出される。式１において、「上限透過率」は、液晶パネルの透過率の上限である。
第１目標輝度＝（ユーザ指定輝度÷上限透過率）×基準輝度  ・・・（式１）
【００３１】
上限透過率は特に限定されないが、上限透過率が１０［％］である場合を考える。そして、ユーザ指定輝度が２００［ｃｄ／ｍ２］であり、且つ、基準輝度が１００［％］である場合を考える。この場合には、式１を用いて、第１目標輝度２０００［ｃｄ／ｍ２］が得られる。上限透過率が１０［％］であり、且つ、ユーザ指定輝度が１０００［ｃｄ／ｍ２］であり、且つ、基準輝度が１００［％］である場合を考える。この場合には、式１を用いて、第１目標輝度１００００［ｃｄ／ｍ２］が得られる。上限透過率が１０［％］であり、且つ、ユーザ指定輝度が１０００［ｃｄ／ｍ２］であり、且つ、基準輝度が８０［％］である場合を考える。この場合には、式１を用いて、第１目標輝度８０００［ｃｄ／ｍ２］が得られる。
【００３２】
ここで、光源部からの光が、当該光源部に対応する分割領域の周囲へ漏れる場合を考える。例えば、バックライトユニット３が直下型のバックライトユニットの場合において、上記漏れが生じる。この場合には、上記漏れを考慮して第１目標輝度を決定することが好ましい。上記漏れ（分割領域間における光（光源部からの光）の漏れ）を考慮して第１目標輝度を決定する方法としては、これまでに提案された種々の方法を用いることができる。例えば、上記漏れを考慮して第１目標輝度を決定する方法は、特開２０１４−４４３０２号公報に開示されている。特開２０１４−４４３０２号公報に開示の方法を用いた場合の具体例を、以下に説明する。
【００３３】
まず、基準輝度１００［％］の光源部の第１目標輝度が１００［ｃｄ／ｍ２］となり、且つ、第１目標輝度が基準輝度に比例するように、各光源部の第１目標輝度が仮決定される。その後、複数の分割領域のそれぞれについて、バックライトユニット３（複数の光源部）から発せられた光の入射輝度（液晶パネルへの入射時における輝度）が、上記漏れを考慮して推定される。そして、推定された入射輝度が必要輝度（例えば、式１の左辺から
得られる輝度）よりも低い分割領域が存在する場合には、全ての分割領域において入射輝度が必要輝度以上となるように、各光源部の第１目標輝度が同じ増加率で高められる。
【００３４】
本実施例では、複数の分割領域のそれぞれについて、入射輝度の推定の対象である推定位置が予め定められている。推定位置は特に限定されないが、例えば、複数の分割領域のそれぞれについて、その分割領域の中心位置が推定位置として予め定められている。そのため、光源部と推定位置の組み合わせは、複数存在する。そして、複数の上記組み合わせのそれぞれについて、減衰係数が予め定められている。減衰係数は、その減衰係数に対応する光源部から発せられた光の、当該減衰係数に対応する推定位置に到達するまでの減衰の度合いである。
【００３５】
本実施例では、複数の推定位置のそれぞれについて、以下の処理が行われる。それにより、複数の分割領域にそれぞれ対応する複数の入射輝度が推定される。まず、処理対象の推定位置に対応する減衰係数を第１目標輝度に乗算する処理が、各光源部について行われる。次に、各光源部に対して得られた乗算結果の総和が、所定対象の推定位置における入射輝度として算出される。
【００３６】
図３（Ｃ）は、上記方法によって決定された第１目標輝度の一例を示す。図３（Ｃ）は、上限透過率が１００［％］であり、且つ、ユーザ指定輝度が１０００［ｃｄ／ｍ２］である場合を示す。図３（Ｃ）では、図３（Ｂ）で基準輝度が１００［％］である分割領域に対して、ユーザ指定輝度１０００［ｃｄ／ｍ２］よりも低い第１目標輝度５００［ｃｄ／ｍ２］が対応付けられている。これは、上記分割領域の周囲から合計で５００［ｃｄ／ｍ２］以上の輝度の光が漏れくるからである。周囲からの光の漏れは、他の分割領域でも生じる。そのため、図３（Ｂ）では、他の分割領域に対しても、ユーザ指定輝度１０００［ｃｄ／ｍ２］に図３（Ｂ）の基準輝度を乗算することで得られる輝度（式１の左辺から得られる輝度）よりも低い第１目標輝度が対応付けられている。
【００３７】
第１時間ＬＰＦ処理部７は、目標輝度の時間変化が抑制されるように第１目標輝度を補正する補正処理を各光源部について行うことにより、各光源部の第２目標輝度を取得する。第２目標輝度は、補正後の目標輝度である。目標輝度の時間変化の抑制度合いは特に限定されないが、例えば、ユーザに妨害として知覚されるフリッカの発生が抑制されるように、目標輝度の時間変化が抑制される。ここで考慮されるフリッカは、例えば、目標輝度の急激な時間変化に起因して生じるフリッカである。
【００３８】
本実施例では、第１時間ＬＰＦ処理部７は、時間方向のＬＰＦ処理（時間ＬＰＦ処理）を第１目標輝度に施すことにより、第１目標輝度を第２目標輝度に補正する。具体的には、表示装置１では、動画像データ（対象動画像データ）の各フレームの画像データが、入力画像データとして順に使用される。ＢＬ輝度記憶部８は、現在のフレーム（現フレーム）よりも前のフレームに対応する第２目標輝度を記憶する。本実施例では、ＢＬ輝度記憶部８は、現フレームの１つ前のフレーム（前フレーム）に対応する第２目標輝度を記憶する。そして、第１時間ＬＰＦ処理部７は、ＢＬ輝度記憶部８が記憶する第２目標輝度（前フレームに対応する第２目標輝度）を用いて、ＢＬ輝度決定部６から通知された第１目標輝度（現フレームに対応する第１目標輝度）を補正する。
【００３９】
本実施例では、第１時間ＬＰＦ処理部７は、以下の式２を用いて、第２目標輝度ＢＬＣ（ｘ，ｙ）を算出する。第２目標輝度ＢＬＣ（ｘ，ｙ）は、現フレームに対応する第２目標輝度であり、位置（水平位置，垂直位置）＝（ｘ，ｙ）の光源部に対応する第２目標輝度である。また、式２において、「ＢＬＬ（ｘ，ｙ）」は、現フレームに対応する第１目標輝度であり、位置（ｘ，ｙ）の光源部に対応する第１目標輝度である。「ＰＲＢＬＣ（ｘ，ｙ）」は、前フレームに対応する第２目標輝度であり、位置（ｘ，ｙ）の光源部に対
応する第２目標輝度である。そして、「α」は、第１目標輝度を補正する補正処理の時定数である。時定数αとしては、０よりも大きく且つ１よりも小さい値が使用される。時定数αは、パラメータ設定部２５により設定される。
ＢＬＣ（ｘ，ｙ）＝（ＢＬＬ（ｘ，ｙ）−ＰＲＢＬＣ（ｘ，ｙ））
×（１−α）＋ＰＲＢＬＣ（ｘ，ｙ）
・・・（式２）
【００４０】
式２から、時定数αの低下により、第１目標輝度への目標輝度の時間変化の速度が増し、時定数αの増加により、第１目標輝度への目標輝度の時間変化の速度が低下することがわかる。具体的には、時定数αの低下により、１フレームあたりの第２目標輝度の変化量が増し、時定数αの増加により、１フレームあたりの第２目標輝度の変化量が減ることがわかる。時定数αは、「目標輝度の時間変化の抑制度合い」とも言える。
【００４１】
第１時間ＬＰＦ処理部７は、各光源部の第２目標輝度を、入射輝度推定部９とＲＧＢ−ＢＬ輝度決定部１２へ通知する。さらに、第１時間ＬＰＦ処理部７は、各光源部の第２目標輝度をＢＬ輝度記憶部８に記録する。
【００４２】
なお、第１目標輝度の補正方法は特に限定されない。例えば、現フレームよりも前のフレームとして、現フレームよりも２つ以上前のフレームが使用されてもよい。現フレームよりも前のフレームとして、２つ以上のフレームが使用されてもよい。
【００４３】
入射輝度推定部９は、各光源部の第２目標輝度に基づいて、複数の推定位置にそれぞれに対応する複数の入射輝度を推定する。そして、入射輝度推定部９は、各推定位置の入射輝度を画像補正値決定部１０へ通知する。入射輝度の推定方法は上述したとおりである。分割領域の形状、推定位置、等は特に限定されない。本実施例では、各分割領域の形状が四角形である。そして、本実施例では、入射輝度推定部９は、各分割領域の四隅の位置、各分割領域の各辺の中心位置、及び、各分割領域の中心位置である複数の位置のそれぞれを、推定位置として使用する。
【００４４】
画像補正値決定部１０は、入射輝度推定部９で使用された複数の推定位置のそれぞれについて、推定された入射輝度に基づいて、画像データを補正する補正値を決定する。そして、画像補正値決定部１０は、各推定位置の補正値を画像補正部１１へ出力する。表示装置には、「入力画像データに応じた輝度を正確に表示したい」というニーズがある。入射輝度が所定の輝度から変化すると、表示輝度も変化する。そのため、例えば、所定の輝度からの入射輝度の変化に対応する表示輝度の変化を低減する値が、補正値として決定される。本実施例では、以下の式３を用いて、画像データの階調値に乗算されるゲイン値である補正係数Ｇｐｎが、補正値として算出される。式３において、「Ｌｔ」は、上記所定の輝度であり、「Ｌｐｎ」は、推定された入射輝度である。所定の輝度Ｌｔは、例えば、ユーザ指定輝度に比例する輝度である。なお、補正値はゲイン値に限られない。例えば、補正値として、画像データの階調値に加算するオフセット値が決定されてもよい。
Ｇｐｎ＝Ｌｔ／Ｌｐｎ  ・・・（式３）
【００４５】
画像補正部１１は、入射輝度推定部９によって推定された入射輝度に基づいて、入力画像データを補正する。本実施例では、画像補正部１１は、画像補正値決定部１０によって決定された補正値を用いて入力画像データの各階調値を補正することにより、処理画像データを生成する。そして、画像補正部１１は、処理画像データを液晶パネル部２へ出力す
る。具体的には、入射輝度推定部９で使用された推定位置については、画像補正値決定部１０によって決定された補正係数Ｇｐｎが入力画像データの階調値に乗算される。入射輝度推定部９で使用された推定位置とは異なる位置については、当該位置の周囲の複数の推定位置に対して決定された複数の補正係数Ｇｐｎを用いた補間処理により、補正係数が決定される。そして、決定された補間係数が入力画像データの階調値に乗算される。
【００４６】
ＲＧＢ−ＢＬ輝度決定部１２は、複数の光源部のそれぞれについて、その光源部の第２目標輝度から、当該光源部の有するＲ光源部の目標輝度、当該光源部の有するＧ光源部の目標輝度、及び、当該光源部の有するＢ光源部の目標輝度を個別に決定する。「光源部の第２目標輝度から複数の色光源部にそれぞれ対応する複数の目標輝度を決定する処理」は、「光源部の第２目標輝度を複数の色光源部にそれぞれ対応する複数の目標輝度へ分ける処理」とも言える。そして、ＲＧＢ−ＢＬ輝度決定部１２は、各色光源部の目標輝度を、駆動時間決定部１３へ通知する。
【００４７】
本実施例では、液晶パネルの背面に白色光を照射するための比率として、Ｒ光源部の発光輝度：Ｇ光源部の発光輝度：Ｂ光源部の発光輝度＝３：６：１が予め定められている。そして、ＲＧＢ−ＢＬ輝度決定部１２は、複数の光源部のそれぞれについて、以下の式４−１〜４−３を用いて、Ｒ光源部の目標輝度、Ｇ光源部の目標輝度、及び、Ｂ光源部の目標輝度を算出する。光源部の目標輝度が５００［ｃｄ／ｍ２］である場合には、式４−１〜４−３を用いて、Ｒ光源部の目標輝度１５０［ｃｄ／ｍ２］、Ｇ光源部の目標輝度３００［ｃｄ／ｍ２］、及び、Ｂ光源部の目標輝度５０［ｃｄ／ｍ２］が算出される。なお、比率は３：６：１に限られない。
Ｒ光源部の目標輝度＝光源部の第２目標輝度×３÷（３＋６＋１）
・・・（式４−１）
Ｇ光源部の目標輝度＝光源部の第２目標輝度×６÷（３＋６＋１）
・・・（式４−２）
Ｂ光源部の目標輝度＝光源部の第２目標輝度×１÷（３＋６＋１）
・・・（式４−３）
【００４８】
駆動時間決定部１３は、各色光源部に対して駆動値決定処理を行う。色光源部に対する駆動値決定処理は、「色光源部の目標輝度に基づいて、色光源部の発光輝度を目標輝度へ制御する値である駆動値を決定する処理」である。そのため、光源部に対する駆動値決定処理（光源部に属す複数の色光源部にそれぞれ対応する複数の駆動値決定処理の組み合わせ）は、「光源部の第２目標輝度に基づいて、光源部の発光輝度を第２目標輝度へ制御する値である駆動値を決定する処理」と言える。駆動時間決定部１３は、決定した駆動値（第１駆動値；未補正駆動値）を、総駆動時間決定部１４と駆動時間補正部１７へ通知する。
【００４９】
本実施例では、各色光源部がパルス幅変調方式で駆動される。そのため、色光源部の駆動時間に関する値が、駆動値として使用される。この場合には、駆動値決定処理は「駆動時間を決定する処理」とも言える。なお、色光源部の駆動方式は、パルス幅変調方式に限られない。例えば、パルス振幅変調方式、パルス幅変調方式とパルス振幅変調方式とを組み合わせた方式、等で色光源部が駆動されてもよい。パルス振幅変調方式で色光源部が駆動される場合には、駆動値として、色光源部に供給される電流値に関する値が使用される。パルス幅変調方式とパルス振幅変調方式とを組み合わせた方式で色光源部が駆動される場合には、駆動値として、駆動時間と、色光源部に供給される電流値とに関する値が使用される。
【００５０】
本実施例では、駆動時間決定部１３は、各色光源部の発光効率を考慮して各色光源部の未補正駆動値を決定する。具体的には、駆動値決定処理として、「以下の３つの要素１〜３に基づいて色光源部の未補正駆動値を決定する処理」が行われる。
要素１：色光源部の目標輝度
要素２：色光源部の発光効率が基準の発光効率である場合における、色光源部の発光輝度と色光源部の未補正駆動値との対応関係
要素３：色光源部の発光効率と基準の発光効率との間の差
【００５１】
「色光源部の発光効率が基準の発光効率である場合における、色光源部の発光輝度と色光源部の未補正駆動値との対応関係」は、「色光源部の発光効率が基準の発光効率である場合における、色光源部の発光輝度と色光源部の駆動時間との対応関係」とも言える。この対応関係は特に限定されないが、本実施例では、図４の対応関係が使用される。図４の横軸は、色光源部の発光輝度を示し、図４の縦軸は、色光源部の駆動時間を示す。図４の太実線は、色光源部の発光効率が基準の発光効率である場合の対応関係を示す。図４の駆動時間の値は、規格化された値である。駆動時間１００［％］は、１フレームの期間において色光源部が点灯し続ける状態に対応する。実際には、光源ドライバ（各光源の発光を制御する制御回路）のリセット期間が必要である。そのため、１フレームの期間の長さが１６．６［ｍｓｅｃ］である場合には、駆動時間１００［％］は１６．６［ｍｓｅｃ］以下の時間に対応する。
【００５２】
「色光源部の発光効率と基準の発光効率との間の差」として、以下の３つの差１〜３が存在し得る。本実施例では、差１〜３の全てが考慮される。なお、差１〜３の１つまたは２つが考慮されなくてもよい。例えば、差１のみが考慮されてもよいし、差２，３のみが考慮されてもよい。
差１：色光源部の製造時に生じた差
差２：色光源部の温度変化に起因して生じた差
差３：色光源部の経年劣化に起因して生じた差
【００５３】
本実施例では、上記差１に起因した輝度変化（目標輝度からの発光輝度の変化）を低減する第１補正値Ｃｈ（ｃ，ｘ，ｙ）が、第１補正値記憶部２２に予め記録されている。第１補正値Ｃｈ（ｃ，ｘ，ｙ）は、位置（ｘ，ｙ）の光源部に属し、且つ、発光色が色ｃである色光源部の補正値である。また、本実施例では、上記差２，３に起因した輝度変化（目標輝度からの発光輝度の変化）を低減する第２補正値Ｃｄ（ｃ，ｘ，ｙ）が、第２補正値決定部２１によって決定される。第２補正値Ｃｄ（ｃ，ｘ，ｙ）は、位置（ｘ，ｙ）の光源部に属し、且つ、発光色が色ｃである色光源部の補正値である。
【００５４】
本実施例では、駆動時間決定部１３は、図４の対応関係（図４の対応関係を示すＬＵＴ、図４の対応関係を示す関数、等）から、色光源部の目標輝度Ｌ（ｃ，ｘ，ｙ）に対応する駆動時間Ｄｒ（ｃ，ｘ，ｙ）＝ｆ（Ｌ（ｃ，ｘ，ｙ））を取得する。また、駆動時間決定部１３は、第１補正値Ｃｈ（ｃ，ｘ，ｙ）を第１補正値記憶部２２から取得し、第２補正値Ｃｄ（ｃ，ｘ，ｙ）を第２補正値決定部２１から取得する。そして、駆動時間決定部１３は、以下の式５を用いて、駆動時間Ｄｒ（ｃ，ｘ，ｙ）、第１補正値Ｃｈ（ｃ，ｘ，ｙ）、及び、第２補正値Ｃｄ（ｃ，ｘ，ｙ）から、色光源部の駆動時間ＲＤｒ（ｃ，ｘ，ｙ）を算出する。本実施例では、駆動時間決定部１３は、駆動時間ＲＤｒ（ｃ，ｘ，ｙ）を未補正駆動値として通知する。
ＲＤｒ（ｃ，ｘ，ｙ）
＝Ｄｒ（ｃ，ｘ，ｙ）×Ｃｈ（ｃ，ｘ，ｙ）×Ｃｄ（ｃ，ｘ，ｙ）
・・・（式５）
【００５５】
このような処理が、各色光源部について個別に行われる。以後、位置（ｘ，ｙ）の光源部に属すＲ光源部の駆動時間ＲＤｒ（ｃ，ｘ，ｙ）を「駆動時間ＲＤｒｒ（ｘ，ｙ）」と記載する。位置（ｘ，ｙ）の光源部に属すＧ光源部の駆動時間ＲＤｒ（ｃ，ｘ，ｙ）を「駆動時間ＲＤｒｇ（ｘ，ｙ）」と記載する。そして、位置（ｘ，ｙ）の光源部に属すＢ光源部の駆動時間ＲＤｒ（ｃ，ｘ，ｙ）を「駆動時間ＲＤｒｂ（ｘ，ｙ）」と記載する。
【００５６】
なお、駆動時間の値とは異なる値が駆動値として使用されてもよい。例えば、駆動値として、駆動時間に比例する他の値が使用されてもよい。具体的には、色光源部がパルス幅変調方式で駆動される場合などおいて、光源ドライバの処理を制御する制御値として、駆動時間に比例する値が使用される。そのような場合には、光源ドライバの制御値が駆動値として使用されてもよい。
【００５７】
総駆動時間決定部１４は、各色光源部の未補正駆動値に基づいて総駆動時間を決定し、決定した総駆動時間を時間補正値決定部１５へ通知する。本実施例では、総駆動時間は、発光色が同じ複数の色光源部にそれぞれ対応する複数の駆動時間の総和である。また、本実施例では、総駆動時間決定部１４は、複数の発光色のそれぞれについて総駆動時間を決定する。具体的には、総駆動時間決定部１４は、各Ｒ光源部の未補正駆動値に基づいて、複数のＲ光源部にそれぞれ対応する複数の駆動時間の総和である総駆動時間を決定する。総駆動時間決定部１４は、各Ｇ光源部の未補正駆動値に基づいて、複数のＧ光源部にそれぞれ対応する複数の駆動時間の総和である総駆動時間を決定する。そして、総駆動時間決定部１４は、各Ｂ光源部の未補正駆動値に基づいて、複数のＢ光源部にそれぞれ対応する複数の駆動時間の総和である総駆動時間を決定する。
【００５８】
時間補正値決定部１５は、各色光源部の未補正駆動値を補正する時間補正値を決定し、決定した時間補正値を時間補正値選択部１６へ通知する。時間補正値は、「駆動時間を補正する補正値」とも言える。具体的には、時間補正値決定部１５は、総駆動時間決定部１４によって決定された総駆動時間を閾値と比較し、比較結果に基づいて時間補正値を決定する処理を、複数の発光色のそれぞれについて行う。本実施例では、総駆動時間が閾値よりも長い発光色については、総駆動時間を閾値以下に制限する時間補正値が決定される。以下に、時間補正値決定部１５の処理の具体例を説明する。
【００５９】
Ｒ光源部に供給される電流量ＩＲ（ｘ，ｙ）、Ｇ光源部に供給される電流量ＩＧ（ｘ，ｙ）、及び、Ｂ光源部に供給される電流量ＩＢ（ｘ，ｙ）は、以下の式６−１〜６−３で表せる。式６−１〜６−３において、「Ｉｒ」は、Ｒ光源部に供給される電流量の時間平均であり、「Ｉｇ」は、Ｇ光源部に供給される電流量の時間平均であり、「Ｉｂ」は、Ｂ光源部に供給される電流量の時間平均である。「色光源部に供給される電流量の時間平均」は、例えば、「１フレームの期間において色光源部が点灯し続ける場合において当該期間に色光源部に供給される電流量の時間平均」である。
ＩＲ（ｘ，ｙ）＝Ｉｒ×ＲＤｒｒ（ｘ，ｙ）  ・・・（式６−１）
ＩＧ（ｘ，ｙ）＝Ｉｇ×ＲＤｒｇ（ｘ，ｙ）  ・・・（式６−２）
ＩＢ（ｘ，ｙ）＝Ｉｂ×ＲＤｒｂ（ｘ，ｙ）  ・・・（式６−３）
【００６０】
そして、各Ｒ光源部に供給される電流量ＩＲ（ｘ，ｙ）の総和ＳＲ、各Ｇ光源部に供給
される電流量ＩＧ（ｘ，ｙ）の総和ＳＧ、及び、各Ｂ光源部に供給される電流量ＩＢ（ｘ，ｙ）の総和ＳＢは、以下の式７−１〜７−３で表せる。
ＳＲ＝ΣＩＲ（ｘ，ｙ）
＝Σ（Ｉｒ×ＲＤｒｒ（ｘ，ｙ））
＝Ｉｒ×ΣＲＤｒｒ（ｘ，ｙ）
・・・（式７−１）
ＳＧ＝ΣＩＧ（ｘ，ｙ）
＝Σ（Ｉｇ×ＲＤｒｇ（ｘ，ｙ））
＝Ｉｇ×ΣＲＤｒｇ（ｘ，ｙ）
・・・（式７−２）
ＳＢ＝ΣＩＢ（ｘ，ｙ）
＝Σ（Ｉｂ×ＲＤｒｂ（ｘ，ｙ））
＝Ｉｂ×ΣＲＤｒｂ（ｘ，ｙ）
・・・（式７−３）
【００６１】
式７−１のΣＲＤｒｒ（ｘ，ｙ）は複数のＲ光源部の総駆動時間であり、式７−２のΣＲＤｒｇ（ｘ，ｙ）は複数のＧ光源部の総駆動時間であり、式７−３のΣＲＤｒｂ（ｘ，ｙ）は複数のＢ光源部の総駆動時間である。そのため、総駆動時間と比較される閾値ΣＲＤｒｒ（ｘ，ｙ）ｍａｘ，ΣＲＤｒｇ（ｘ，ｙ）ｍａｘ，ΣＲＤｒｂ（ｘ，ｙ）ｍａｘは、以下の式８−１〜８−３によって得ることができる。式８−１〜８−３において、「ＳＲｍａｘ」は、各Ｒ光源部に供給される電流量の総和の上限であり、「ＳＧｍａｘ」は、各Ｇ光源部に供給される電流量の総和の上限であり、「ＳＢｍａｘ」は、各Ｂ光源部に供給される電流量の総和の上限である。「ΣＲＤｒｒ（ｘ，ｙ）ｍａｘ」は、複数のＲ光源部の総駆動時間と比較される閾値である。「ΣＲＤｒｇ（ｘ，ｙ）ｍａｘ」は、複数のＧ光源部の総駆動時間と比較される閾値である。そして、「ΣＲＤｒｂ（ｘ，ｙ）ｍａｘ」は、複数のＲ光源部の総駆動時間と比較される閾値である。
ΣＲＤｒｒ（ｘ，ｙ）ｍａｘ＝ＳＲｍａｘ／Ｉｒ  ・・・（式８−１）
ΣＲＤｒｇ（ｘ，ｙ）ｍａｘ＝ＳＧｍａｘ／Ｉｇ  ・・・（式８−２）
ΣＲＤｒｂ（ｘ，ｙ）ｍａｘ＝ＳＢｍａｘ／Ｉｂ  ・・・（式８−３）
【００６２】
電流量ＳＲｍａｘ，ＳＧｍａｘ，ＳＢｍａｘは、表示装置１に電力を供給する電源の性能、表示装置１（表示装置１の電源回路など）の性能、等に応じて決まる。そのため、「閾値ΣＲＤｒｒ（ｘ，ｙ）ｍａｘ，ΣＲＤｒｇ（ｘ，ｙ）ｍａｘ，ΣＲＤｒｂ（ｘ，ｙ）ｍａｘは上記性能などによって決まる」とも言える。
【００６３】
電源が出力可能な電流量の上限が複数の発光色の間で同じであっても、一般的に、色光源部に印加される電圧は、複数の発光色の間で異なる。また、一般的に、液晶パネルの背面に白色光を照射するために色光源部に必要な電力も、複数の発光色の間で異なる。そのため、一般的に、電流量ＳＲｍａｘ、電流量ＳＧｍａｘ、及び、電流量ＳＧｍａｘは互いに異なり、閾値ΣＲＤｒｒ（ｘ，ｙ）ｍａｘ、閾値ΣＲＤｒｇ（ｘ，ｙ）ｍａｘ、閾値、ΣＲＤｒｂ（ｘ，ｙ）ｍａｘは互いに異なる。
【００６４】
なお、式８−１〜８−３によれば、総駆動時間の上限が閾値として得られる。しかしながら、総駆動時間の上限とは異なる時間が閾値として使用されてもよい。例えば、総駆動時間の上限よりも短い時間が閾値として使用されてもよい。また、複数の発光色の間で共通の閾値が使用されてもよい。
【００６５】
本実施例では、時間補正値決定部１５は、以下の式９−１〜９−３を用いて、時間補正値ＧａｉｎＲ，ＧａｉｎＧ，ＧａｉｎＢを算出する。式９−１〜９−３によれば、閾値を総駆動時間で除算することにより、時間補正値ＧａｉｎＲ，ＧａｉｎＧ，ＧａｉｎＢが算出される。そのため、時間補正値ＧａｉｎＲ，ＧａｉｎＧ，ＧａｉｎＢは、総駆動時間に対する閾値の割合である。
ＧａｉｎＲ＝ΣＲＤｒｒ（ｘ，ｙ）ｍａｘ／ΣＲＤｒｒ（ｘ，ｙ）
・・・（式９−１）
ＧａｉｎＧ＝ΣＲＤｒｇ（ｘ，ｙ）ｍａｘ／ΣＲＤｒｇ（ｘ，ｙ）
・・・（式９−２）
ＧａｉｎＢ＝ΣＲＤｒｂ（ｘ，ｙ）ｍａｘ／ΣＲＤｒｂ（ｘ，ｙ）
・・・（式９−３）
【００６６】
時間補正値ＧａｉｎＲは、各Ｒ光源部の未補正駆動値（駆動時間）を補正する時間補正値である。時間補正値ＧａｉｎＧは、各Ｇ光源部の未補正駆動値を補正する時間補正値である。そして、時間補正値ＧａｉｎＢは、各Ｂ光源部の未補正駆動値を補正する時間補正値である。具体的には、時間補正値ＧａｉｎＲは、各Ｒ光源部の未補正駆動値に乗算されるゲイン値である。時間補正値ＧａｉｎＧは、各Ｇ光源部の未補正駆動値に乗算されるゲイン値である。そして、時間補正値ＧａｉｎＢは、各Ｂ光源部の未補正駆動値に乗算されるゲイン値である。総駆動時間が閾値よりも長い発光色について、各未補正駆動値に時間補正値を乗算することにより、総駆動時間を閾値に制限することができる。
【００６７】
時間補正値決定部１５は、式９−１〜９−３を用いて算出された時間補正値ＧａｉｎＲ，ＧａｉｎＧ，ＧａｉｎＢを出力する。但し、ΣＲＤｒｒ（ｘ，ｙ）≦ΣＲＤｒｒ（ｘ，ｙ）ｍａｘの場合には、時間補正値決定部１５は時間補正値ＧａｉｎＲ＝１を出力する。ΣＲＤｒｇ（ｘ，ｙ）≦ΣＲＤｒｇ（ｘ，ｙ）ｍａｘの場合には、時間補正値決定部１５は時間補正値ＧａｉｎＧ＝１を出力する。そして、ΣＲＤｒｂ（ｘ，ｙ）≦ΣＲＤｒｂ（ｘ，ｙ）ｍａｘの場合には、時間補正値決定部１５は時間補正値ＧａｉｎＢ＝１を出力する。
【００６８】
なお、時間補正値は上記値に限られない。総駆動時間に対する閾値の割合とは異なる値が時間補正値として決定されてもよい。総駆動時間を閾値よりも短い時間に制限する時間補正値が決定されてもよい。各未補正駆動値に加算されるオフセット値が時間補正値として決定されてもよい。
【００６９】
時間補正値選択部１６は、時間補正値ＧａｉｎＲ、時間補正値ＧａｉｎＧ、及び、時間補正値ＧａｉｎＢのいずれか１つを選択する。選択された時間補正値は、各未補正駆動値（各Ｒ光源部の未補正駆動値、各Ｇ光源部の未補正駆動値、及び、各Ｂ光源部の未補正駆動値）の補正に使用される。本実施例では、時間補正値選択部１６は、時間補正値ＧａｉｎＲ、時間補正値ＧａｉｎＧ、及び、時間補正値ＧａｉｎＢの最小値を選択する。そして、時間補正値選択部１６は、選択した時間補正値を駆動時間補正部１７へ通知する。
【００７０】
複数の発光色の間で異なる時間補正値を用いた補正が行われる場合には、各未補正駆動値の補正によって、比率（Ｒ光源部の発光輝度：Ｇ光源部の発光輝度：Ｂ光源部の発光輝度）が、液晶パネルの背面に白色光を照射するための比率から変化することがある。時間補正値ＧａｉｎＲ、時間補正値ＧａｉｎＧ、及び、時間補正値ＧａｉｎＢのいずれかを選択して補正に使用することにより、そのような比率の変化を抑制することができる。また、時間補正値ＧａｉｎＲ、時間補正値ＧａｉｎＧ、及び、時間補正値ＧａｉｎＢの最小値
よりも大きい時間補正値を用いた補正が行われる場合には、各未補正駆動値を補正しても、総駆動時間が閾値よりも長い発光色が残ることがある。時間補正値ＧａｉｎＲ、時間補正値ＧａｉｎＧ、及び、時間補正値ＧａｉｎＢの最小値を選択して補正に使用することにより、各発光色の総駆動時間を確実に閾値以下に制限することができる。
【００７１】
なお、各未補正駆動値の補正に使用する時間補正値の選択方法（決定方法）は上記方法に限られない。例えば、時間補正値選択部１６は、各未補正駆動値の補正に使用する時間補正値として、時間補正値ＧａｉｎＲ、時間補正値ＧａｉｎＧ、及び、時間補正値ＧａｉｎＢの最大値を選択してもよい。時間補正値選択部１６は、各未補正駆動値の補正に使用する時間補正値として、時間補正値ＧａｉｎＲ、時間補正値ＧａｉｎＧ、及び、時間補正値ＧａｉｎＢのうちの２番目に大きい値を選択してもよい。時間補正値選択部１６は、各未補正駆動値の補正に使用する時間補正値として、時間補正値ＧａｉｎＲ、時間補正値ＧａｉｎＧ、及び、時間補正値ＧａｉｎＢの他の代表値（平均値、中間値、最頻値、等）を決定してもよい。時間補正値選択部１６は、各Ｒ光源部の未補正駆動値の補正に使用する時間補正値として時間補正値ＧａｉｎＲを選択してもよい。時間補正値選択部１６は、各Ｇ光源部の未補正駆動値の補正に使用する時間補正値として時間補正値ＧａｉｎＧを選択してもよい。時間補正値選択部１６は、各Ｂ光源部の未補正駆動値の補正に使用する時間補正値として時間補正値ＧａｉｎＢを選択してもよい。
【００７２】
駆動時間補正部１７は、時間補正値選択部１６から通知された時間補正値を用いて、駆動時間決定部１３から通知された各未補正駆動値を補正する。本実施例では、駆動時間補正部１７は、時間補正値選択部１６から通知された時間補正値を、駆動時間決定部１３から通知された各未補正駆動値に乗算する。それにより、駆動時間決定部１３から通知された各未補正駆動値が補正され、各色光源部の第１補正駆動値（第３駆動値；駆動時間補正部１７による補正後の駆動値）が得られる。そして、駆動時間補正部１７は、各第１補正駆動値を第２時間ＬＰＦ処理部１８へ出力する。
【００７３】
なお、時間補正値決定部１５は、総駆動時間決定部１４によって決定された総駆動時間が閾値よりも長い発光色についてのみ時間補正値を決定してもよい。そして、駆動時間補正部１７は、総駆動時間が閾値よりも長い発光色が存在しない場合に、各未補正駆動値の補正を省略してもよい。
【００７４】
第２時間ＬＰＦ処理部１８は、駆動値の時間変化が抑制されるように第１補正駆動値を補正する補正処理を各色光源部について行うことにより、各色光源部の第２補正駆動値（第２駆動値；補正処理後の駆動値）を取得する。駆動値の時間変化の抑制度合いは特に限定されないが、例えば、ユーザに妨害として知覚されるフリッカの発生が抑制されるように、駆動値の時間変化が抑制される。ここで考慮されるフリッカは、例えば、総駆動時間（表示装置１に必要な電力）を閾値以下に制限する補正に起因して生じるフリッカである。
【００７５】
本実施例では、第２時間ＬＰＦ処理部１８は、時間ＬＰＦ処理を第１補正駆動値に施すことにより、第１補正駆動値を第２補正駆動値に補正する。具体的には、駆動時間記憶部１９は、現フレームよりも前のフレームに対応する第２補正駆動値を記憶する。本実施例では、駆動時間記憶部１９は、前フレームに対応する第２補正駆動値を記憶する。そして、第２時間ＬＰＦ処理部１８は、駆動時間記憶部１９が記憶する第２補正駆動値を用いて、駆動時間補正部１７から通知された第１補正駆動値を補正する。過去の第２補正駆動値を用いることにより、総駆動時間が閾値を超えないように、第１補正駆動値を補正することができる。
【００７６】
本実施例では、第２時間ＬＰＦ処理部１８は、以下の式１０を用いて、第２補正駆動値
（駆動時間）ＰＷＭ（ｘ，ｙ）を算出する。第２補正駆動値ＰＷＭ（ｘ，ｙ）は、現フレームに対応する第２補正駆動値であり、位置（ｘ，ｙ）の光源部に対応する第２補正駆動値である。また、式１０において、「ｃＰＷＭ（ｘ，ｙ）」は、現フレームに対応する第１補正駆動値（駆動時間）であり、位置（ｘ，ｙ）の光源部に対応する第１補正駆動値である。「ＰＲＰＷＭ（ｘ，ｙ）」は、前フレームに対応する第２補正駆動値（駆動時間）であり、位置（ｘ，ｙ）の光源部に対応する第２補正駆動値である。そして、「β」は、第１補正駆動値を補正する補正処理の時定数である。時定数βとしては、０以上且つ１未満の値が使用される。時定数βは、パラメータ設定部２５により設定される。
ＢＬＣ（ｘ，ｙ）＝（ＢＬＬ（ｘ，ｙ）−ＰＲＢＬＣ（ｘ，ｙ））
×（１−α）＋ＰＲＢＬＣ（ｘ，ｙ）
・・・（式１０）
【００７７】
式１０から、時定数βの低下により、第１補正駆動値への駆動値の時間変化の速度が増し、時定数βの増加により、第１補正駆動値への駆動値の時間変化の速度が低下することがわかる。具体的には、時定数βの低下により、１フレームあたりの第２補正駆動値の変化量が増し、時定数βの増加により、１フレームあたりの第２補正駆動値の変化量が減ることがわかる。時定数βは、「駆動値の時間変化の抑制度合い」とも言える。
【００７８】
第２時間ＬＰＦ処理部１８は、各色光源部の第２補正駆動値を、バックライトユニット３へ出力する。それにより、バックライトユニット３の各色光源部は、第２補正駆動値に応じた発光を行う。さらに、第２時間ＬＰＦ処理部１８は、各色光源部の第２補正駆動値を駆動時間記憶部１９に記録する。
【００７９】
なお、第１補正駆動値の補正方法は特に限定されない。例えば、現フレームよりも前のフレームとして、現フレームよりも２つ以上前のフレームが使用されてもよい。現フレームよりも前のフレームとして、２つ以上のフレームが使用されてもよい。また、駆動時間補正部１７の処理が省略され、駆動値の時間変化が抑制されるように未補正駆動値が補正されてもよい。
【００８０】
ＢＬ輝度検出部２０は、バックライトユニット３から発せられた光の輝度（輝度分布；各光源部の発光輝度）を検出する輝度センサである。ＢＬ輝度検出部２０は、バックライトユニット３からの光の輝度の検出結果を、第２補正値決定部２１へ通知する。本実施例では、ＢＬ輝度検出部２０は、複数の発光色のそれぞれについて輝度を検出する。即ち、ＢＬ輝度検出部２０は、各色光源部の発光輝度を検出する。ＢＬ輝度検出部２０の輝度検出は、各色光源部の発光効率の変化を検出するために行われる。そのため、ＢＬ輝度検出部２０の輝度検出は、各色光源部の駆動条件（駆動時間）が同じ状態で行われる。なお、所定の駆動条件に対応する輝度を検出することができれば、輝度検出の方法は特に限定されない。例えば、輝度の検出値として時間積分された値が得られ、得られた検出値から単位時間に対応する輝度が得られてもよい。
【００８１】
第２補正値決定部２１は、ＢＬ輝度検出部２０からの検出結果に基づいて第２補正値を決定し、決定した第２補正値を駆動時間決定部１３へ通知する。例えば、第２補正値決定部２１は、基準の発光効率に対応する輝度（初期輝度）の値を予め記憶している。そして、第２補正値決定部２１は、検出された輝度を初期輝度と比較し、比較結果に基づいて、検出された輝度が初期輝度へ近づけられるように駆動時間を補正する第２補正値を決定する処理を、各色光源部について行う。具体的には、検出された輝度が初期輝度に比べ５［％］だけ低い場合には、駆動時間を５［％］だけ伸ばす第２補正値が決定される。
【００８２】
ユーザＩ／Ｆ部２３は、ユーザからの要求を受け付け可能なインターフェイス（受付部）である。ユーザが表示装置１に対する操作を行うと、ユーザＩ／Ｆ部２３は、当該操作に対応する要求を、ユーザからの要求として判断する。そして、ユーザＩ／Ｆ部２３は、当該要求に応じた情報をパラメータ設定部２５へ出力する。例えば、表示装置１に設けられたボタンをユーザが押下すると、画面にメニュー画像が表示される。そして、メニュー画像に含まれる複数の項目のいずれかをユーザが選択すると、ユーザＩ／Ｆ部２３は、選択された項目に対応する情報をパラメータ設定部２５へ出力する。操作の種類、要求の種類、等は特に限定されない。本実施例では、ユーザ指定輝度に関する要求、ＢＬ基準輝度決定部５で使用されるＬＵＴに関する要求、表示画像のコントラストに関する要求、等がユーザによって行われる。
【００８３】
シーンチェンジ検出部２４は、対象動画像データのシーンの切り替わりを検出する。具体的には、シーンチェンジ検出部２４は、前フレームと現フレームとの間でシーンが切り替わったか否かを判断する。本実施例では、シーンチェンジ検出部２４は、特徴量取得部４によって取得された特徴量に基づいて、シーンチェンジ（シーンの切り替わり）を検出する。例えば、シーンチェンジ検出部２４は、前フレームと現フレームとの間における特徴量の変化の大きさが所定値以上である分割領域（変化領域）の数をカウントする。そして、変化領域の数が所定数以上である場合に、シーンチェンジ検出部２４は、「前フレームと現フレームとの間でシーンが切り替わった」と判断する。変化領域の数が所定数未満である場合には、シーンチェンジ検出部２４は、「前フレームと現フレームとの間でシーンが切り替わらなかった」と判断する。シーンチェンジ検出部２４は、シーンチェンジの検出結果を、パラメータ設定部２５へ通知する。
【００８４】
なお、シーンの切り替わりの検出方法は特に限定されない。例えば、対象動画像データに付加されたメタデータにシーンに関する情報（シーン情報）が含まれている場合には、シーン情報を用いてシーンの切り替わりが検出されてもよい。
【００８５】
パラメータ設定部２５は、表示装置１の各機能部への指示、各機能部へのパラメータの設定、等を行う。例えば、ユーザ指定輝度に関する要求があった場合には、パラメータ設定部２５は、ユーザＩ／Ｆ部２３からの情報に応じて、ユーザからの要求に対応するユーザ指定輝度を、ＢＬ輝度決定部６に対して設定する。ＢＬ基準輝度決定部５で使用されるＬＵＴに関する要求があった場合には、パラメータ設定部２５は、ユーザＩ／Ｆ部２３からの情報に応じて、ユーザからの要求に対応するＬＵＴを、ＢＬ基準輝度決定部５に対して設定する。若しくは、パラメータ設定部２５は、ユーザＩ／Ｆ部２３からの情報に応じて、ユーザからの要求に対応するＬＵＴへのＬＵＴの変更を、ＢＬ基準輝度決定部５に対して指示する。「ＢＬ基準輝度決定部５で使用されるＬＵＴに関する要求」は、「表示画像のコントラストに関する要求」であってもよい。
【００８６】
また、パラメータ設定部２５は、第１時間ＬＰＦ処理部７の補正処理（時間ＬＰＦ処理）で使用されるパラメータと、第２時間ＬＰＦ処理部１８の補正処理（時間ＬＰＦ処理）で使用されるパラメータとを設定する。本実施例では、パラメータ設定部２５は、時定数α，βを設定する。
【００８７】
第２時間ＬＰＦ処理部１８の時間ＬＰＦ処理で使用される時定数βが増加すると、駆動値（駆動時間）の時間変化は低減され、各光源部の第２目標輝度（時間ＬＰＦ処理後の目標輝度）と、各光源部の実際の発光輝度との差が増す。これの具体例として、前フレームの入力画像データが図５（Ａ）の画像データであり、且つ、現フレームの入力画像データが図５（Ｂ）の画像データである場合の例を説明する。
【００８８】
図５（Ａ），５（Ｂ）の例では、現フレームにおいて、前フレームでは存在していない
２つのオブジェクト（四角形のオブジェクト）が出現する。出現した２つのオブジェクトの輝度は高い。そのため、出現したオブジェクトの少なくとも一部を含む分割領域において、光源部の発光輝度の増加が生じ得る。そして、光源部の発光輝度が増加すると、バックライトユニット３の消費電力も増加する。
【００８９】
図６（Ａ）は、図５（Ａ）の破線Ｘ上での第１目標輝度（前フレームの第１目標輝度；ＢＬ輝度決定部６によって決定された目標輝度）の分布を示す。図６（Ｂ）は、図５（Ｂ）の破線Ｘ上での第１目標輝度（現フレームの第１目標輝度）の分布を示す。図５（Ａ）の破線Ｘの位置および向きは、図５（Ｂ）の破線Ｘのそれらと同じである。図６（Ａ），６（Ｂ）の横軸は分割領域の水平位置を示し、図６（Ａ），６（Ｂ）の縦軸は第１目標輝度を示す。図６（Ａ），６（Ｂ）の例では、破線Ｘが通る１０個の分割領域のうち、水平位置ｘ＝８，９，１０の３つの分割領域の第１目標輝度が、高輝度なオブジェクトの出現により増加している。「分割領域の第１目標輝度」は「分割領域に対応する光源部に対して決定された第１目標輝度」である。
【００９０】
図６（Ｃ）は、第１時間ＬＰＦ処理部７によって図６（Ｂ）の第１目標輝度から得られた第２目標輝度（現フレームの第２目標輝度；時間ＬＰＦ処理後の目標輝度）の分布を示す。図６（Ｃ）の横軸は分割領域の水平位置を示し、図６（Ｃ）の縦軸は第２目標輝度を示す。図６（Ｃ）は、前フレームの第２目標輝度として、図６（Ａ）の第１目標輝度と同じ輝度が得られた場合の例を示す。図６（Ｃ）の例では、時間ＬＰＦ処理により、水平位置ｘ＝８，９，１０の３つの分割領域の第２目標輝度として、図６（Ａ）の第１目標輝度と図６（Ｂ）の第１目標輝度との間の輝度が得られている。第１時間ＬＰＦ処理部７の時間ＬＰＦ処理の時定数αが大きい場合には、目標輝度の時間変化の速度が遅く、図６（Ａ）の第１目標輝度に近い第２目標輝度が得られる。第１時間ＬＰＦ処理部７の時間ＬＰＦ処理の時定数αが小さい場合には、目標輝度の時間変化の速度が速く、図６（Ｂ）の第１目標輝度に近い第２目標輝度が得られる。
【００９１】
図７（Ａ）は、図５（Ａ）の破線Ｘ上での未補正駆動値（前フレームの未補正駆動値；駆動時間決定部１３によって決定された駆動値）の分布を示す。図７（Ｂ）は、図５（Ｂ）の破線Ｘ上での未補正駆動値（現フレームの未補正駆動値）の分布を示す。図７（Ａ），７（Ｂ）の横軸は分割領域の水平位置を示し、図７（Ａ），７（Ｂ）の縦軸は未補正駆動値（駆動時間）を示す。図７（Ａ）は、前フレームの第２目標輝度として、図６（Ａ）の第１目標輝度と同じ輝度が得られた場合の例を示す。図７（Ｂ）の未補正駆動値は、図６（Ｃ）の第２目標輝度から得られた値である。複数の分割領域間で、光源部の発光効率は一様ではない。そのため、前フレームと現フレームとの間で第２目標輝度が同じであっても、前フレームと現フレームとの間で未補正駆動値は異なる。例えば、水平位置ｘ＝２〜７の分割領域では、前フレームと現フレームとの間で第２目標輝度が同じであるが、前フレームと現フレームとの間で未補正駆動値は異なる。
【００９２】
図８（Ａ）は、駆動時間補正部１７によって図７（Ｂ）の未補正駆動値から得られた第１補正駆動値（現フレームの第１補正駆動値）の分布を示す。図８（Ａ）の横軸は分割領域の水平位置を示し、図８（Ａ）の縦軸は第１補正駆動値を示す。図８（Ａ）の例では、図７（Ｂ）の未補正駆動値よりも小さい値が第１補正駆動値として得られている。図８（Ｂ）は、第２時間ＬＰＦ処理部１８によって図８（Ａ）の第１補正駆動値から得られた第２補正駆動値（現フレームの第２補正駆動値）の分布を示す。図８（Ｂ）の横軸は分割領域の水平位置を示し、図８（Ｂ）の縦軸は第２補正駆動値を示す。図８（Ｂ）は、前フレームの第２補正駆動値として、図７（Ａ）の未補正駆動値と同じ駆動値が得られた場合の例を示す。水平位置ｘ＝１〜７の分割領域では、図７（Ａ）の未補正駆動値が、図８（Ａ）の第１補正駆動値よりも大きい。そのため、図８（Ｂ）の例では、水平位置ｘ＝１〜７の分割領域の第２補正駆動値として、図８（Ａ）の第１補正駆動値よりも大きい駆動値が
得られている。一方、水平位置ｘ＝８〜１０の分割領域では、図７（Ａ）の未補正駆動値が、図８（Ａ）の第１補正駆動値よりも小さい。そのため、図８（Ｂ）の例では、水平位置ｘ＝８〜１０の分割領域の第２補正駆動値として、図８（Ａ）の第１補正駆動値よりも小さい駆動値が得られている。
【００９３】
図９は、光源部の実際の発光輝度の分布を示す。図９は、図５（Ｂ）の破線Ｘ上での発光輝度（現フレームの発光輝度）を示す。図９の横軸は分割領域の水平位置を示し、図９の縦軸は実際の発光輝度を示す。図９の発光輝度は、図８（Ｂ）の第２補正駆動値から得られた輝度である。図９では、発光輝度として、図６（Ｃ）の第２目標輝度と異なる輝度が得られている。さらに、水平位置ｘ＝２〜７の分割領域の輝度と、水平位置８〜９の分割領域の輝度との比が、図９と図６（Ｃ）との間で異なっている。このように、第２時間ＬＰＦ処理部１８の時間ＬＰＦ処理により、各光源部の第２目標輝度と各光源部の実際の発光輝度との差が生じる。
【００９４】
そして、光源部間の発光輝度の比が変化すると、入射輝度の分布の形状が変化する。そのため、光源部間の第２目標輝度の比が、光源部間の実際の発光輝度の比と異なると、推定された入射輝度の分布の形状が、実際の入射輝度の分布の形状と異なってしまう。推定された入射輝度の分布の形状が、実際の入射輝度の分布の形状と異なると、入射輝度の変化による表示輝度の変化を画像処理（画像補正部１１の処理）で低減できず、入力画像データの輝度を忠実に表示できない。画像補正部１１の処理を行わない場合の画質よりも低い画質に表示画像の画質が劣化することもある。
【００９５】
そこで、本実施例では、パラメータ設定部２５は、各光源部の第２目標輝度（各光源部の第２目標輝度の形状）と、各光源部の実際の発光輝度（各光源部の実際の発光輝度の形状）との差が閾値以下となるように、時定数α，βを設定する。そのため、パラメータ設定部２５は、時定数αと時定数βの一方を変更した場合に、各光源部の第２目標輝度と、各光源部の実際の発光輝度との差が閾値以下となるように、時定数αと時定数βの他方も変更する。
【００９６】
それにより、時定数αと時定数βとが互いに連動するように時定数αと時定数βとを設定する、という簡易な構成で、表示画像の画質劣化を高精度に抑制することができる。具体的には、入射輝度を高精度に推定でき、入力画像データを高精度に補正することができる。その結果、入射輝度の変化による画質劣化を高精度に抑制することができる。また、目立ったフリッカの発生を抑制できる値が時定数α，βとして設定されるため、フリッカの発生が抑制された高画質な表示画像を得ることができる。
【００９７】
なお、第２目標輝度と実際の発光輝度との差と比較される閾値は、例えば、入射輝度の推定の精度を考慮して決定される。閾値は、メーカーによって予め定められた固定値であってもよいし、ユーザが変更可能な値であってもよい。表示装置１の使用環境、入力画像データの種類、等に応じて自動で閾値が決定されてもよい。
【００９８】
未処理駆動値への駆動値の時間変化の速度を高めることにより、各光源部の第２目標輝度と、各光源部の実際の発光輝度との差を低減することができる。しかしながら、未処理駆動値への駆動値の時間変化の速度を高めるだけでは、目立ったフリッカが発生してしまう。そこで、本実施例では、パラメータ設定部２５は、未処理駆動値への駆動値の時間変化が第１目標輝度への目標輝度の時間変化よりも速い速度で行われるように、時定数α，βを設定する。具体的には、パラメータ設定部２５は、時定数βとして、時定数αよりも小さい値を設定する。それにより、上記効果を得ることができる。
【００９９】
なお、パラメータ設定部２５は、時間ＬＰＦ処理で使用されるパラメータとして、時定
数α，βとは異なるパラメータを設定してもよい。パラメータ設定部２５は、時間ＬＰＦ処理で使用されるパラメータとして、時定数α，βと他のパラメータとを設定してもよい。時間ＬＰＦ処理で使用されるパラメータは特に限定されない。また、各光源部の第２目標輝度と、各光源部の実際の発光輝度との差が閾値以下となれば、時間ＬＰＦ処理で使用されるパラメータの具体的な値は特に限定されない。また、時間ＬＰＦ処理で使用されるパラメータの設定方法や変更方法は特に限定されない。
【０１００】
時定数α，βの設定方法の具体例を、図１０を用いて説明する。なお、図１０に示された時定数α，βは一例であり、図１０の値とは異なる値が時定数α，βとして設定されてもよい。
【０１０１】
（設定方法１）
設定方法１は、ユーザからの要求に応じ値を時定数α，βとして設定する方法である。ここで、「要求」は、例えば、「表示画像のコントラストに関する要求」である。表示画像のコントラストに関する要求は、例えば、図１０の「高コントラストモード」を設定するための要求、図１０の「低コントラストモード」を設定するための要求、等である。要求の有無は、ユーザＩ／Ｆ部２３からの情報を用いて判断される。
【０１０２】
高コントラストモードは、低コントラストモードよりもコントラストが高い表示画像を実現する表示モードである。高コントラストモードに対応するコントラストは特に限定されないが、例えば、表示輝度の上限：表示輝度の下限＝５０００：１である。低コントラストモードは、高コントラストモードよりもコントラストが低い表示画像を実現する表示モードである。低コントラストモードに対応するコントラストは特に限定されないが、例えば、表示輝度の上限：表示輝度の下限＝２５００：１である。
【０１０３】
図１０の例では、低コントラストモードを設定するための要求があった場合には、時定数αとして「０．８０」が設定され、時定数βとして「０．８０」よりも小さい「０．６０」が設定される。高コントラストモードでは、光源部の発光輝度の上限と光源部の発光輝度の下限との差が、低コントラストモードよりも大きい。そのため、時定数α，βが一定である場合において、高コントラストモードでは、光源部の発光輝度の変動幅が低コントラストモードよりも大きく、低コントラストモードよりもフリッカが目立ちやすい。目立ったフリッカの発生を抑制するために、図１０の例では、高コントラストモードを設定するための要求があった場合には、時定数αとして、低コントラストモードに対応する「０．８０」よりも大きい「０．９０」が設定される。同様に、時定数βとして、低コントラストモードに対応する「０．６０」よりも大きい「０．７０」が設定される。
【０１０４】
なお、ユーザからの要求は特に限定されない。例えば、ユーザからの要求は、バックライトユニット３（各色光源部）に供給される電流値に関する要求であってもよい。具体的には、ユーザからの要求は、バックライトユニット３に供給される電流値が高い表示モードを設定するための要求、バックライトユニット３に供給される電流値が低い表示モードを設定するための要求、等であってもよい。バックライトユニット３に供給される電流値が変わると、総駆動時間の閾値も変わる。具体的には、バックライトユニット３に供給される電流値が高いほど、総駆動時間の閾値は小さい（短い）。そのため、総駆動時間が閾値を超えることを防ぐために、高い電流値に関する要求があった場合には、低い電流値に関する要求があった場合の時定数βよりも小さい時定数βが設定されることが好ましい。また、総駆動時間が閾値を超えることを確実に防ぐために、非常に大きい電流値に関する要求があった場合には、時定数β＝０が設定されることが好ましい。
【０１０５】
（設定方法２）
設定方法２は、表示装置１の表示モードの切り替わりを考慮した方法である。表示モー
ドの切り替わりは、例えば、高コントラストモードおよび低コントラストモードの一方から、高コントラストモードおよび低コントラストモードの他方への切り替わりである。なお、表示装置１が有する複数の表示モードは、高コントラストモードおよび低コントラストモードとは異なる表示モードを含んでいてもよい。そして、切り替え前の表示モードは、高コントラストモードおよび低コントラストモードと異なっていてもよい。同様に、切り替え後の表示モードは、高コントラストモードおよび低コントラストモードと異なっていてもよい。
【０１０６】
表示モードの切り替わりのタイミングでは、フリッカが目立たない可能性、ユーザがフリッカを許容する可能性、等が高い。そのため、パラメータ設定部２５は、表示モードの切り替わりがあった場合に、小さい値（初期値）を時定数α，βとして設定し、時定数α，βを初期値から目標値へ段階的に高める。図１０の例では、パラメータ設定部２５は、表示モードの切り替わりがあった場合に、時定数αとして「０．２０」を設定し、時定数βとして「０．２０」よりも小さい「０．１０」を設定する。時定数α，βの目標値は特に限定されないが、例えば、設定されている表示モードに応じた値が目標値として使用される。具体的には、高コントラストモードが設定されている場合には、時定数αの目標値として「０．９０」が使用され、時定数βの目標値として「０．７０」が使用される。低コントラストモードが設定されている場合には、時定数αの目標値として「０．８０」が使用され、時定数βの目標値として「０．６０」が使用される。
【０１０７】
（設定方法３）
設定方法３は、対象動画像データのシーンの切り替わりを考慮した方法である。対象動画像データのシーンの切り替わりの有無は、シーンチェンジ検出部２４からの情報を用いて判断される。
【０１０８】
シーンの切り替わりのタイミングでは、フリッカが目立たない可能性が高い。そのため、パラメータ設定部２５は、シーンの切り替わりがあった場合に、小さい値（初期値）を時定数α，βとして設定し、時定数α，βを初期値から目標値へ段階的に高める。図１０の例では、パラメータ設定部２５は、シーンの切り替わりがあった場合に、時定数αとして「０．１０」を設定し、時定数βとして「０．１０」よりも小さい「０．００」を設定する。
【０１０９】
なお、設定方法２，３において、初期値から目標値への変更の段階数は特に限定されない。例えば、時定数α，β＝初期値の状態が所定時間だけ維持された後、時定数α，βが初期値から目標値へ瞬時に変更されてもよい（段階数＝１）。時定数α，βが、初期値から目標値へ、２段階以上の段階数で徐々に変更されてもよい。
【０１１０】
以上述べたように、本実施例によれば、各光源部の第２目標輝度と、各光源部の実際の発光輝度との差が閾値以下となるように、パラメータ（時定数α，β）が設定される。そして、各光源部の第２目標輝度に基づいて入射輝度が推定され、推定された入射輝度に基づいて入力画像データが補正される。それにより、簡易な構成で表示画像の画質劣化を高精度に抑制することができる。
【０１１１】
なお、本実施例では、各光源部が複数種類の色光源部を有する例を説明した。しかしながら、各光源部は複数種類の色光源部を有していなくてもよい。例えば、各光源部は１つ以上の白色光源（白色光を発する光源）のみを有していてもよい。その場合には、色光源部に対する上記処理が、光源部に対する処理として行われればよい。また、その場合には、ＲＧＢ−ＢＬ輝度決定部１２の処理と、時間補正値選択部１６の処理とは省略される。
【０１１２】
＜実施例２＞
以下、本発明の実施例２について説明する。なお、以下では、実施例１と異なる点（構成、処理、等）について詳しく説明し、実施例１と同じ点についての説明は省略する。本実施例では、駆動値に対する時間ＬＰＦ処理による発光輝度（光源部の発光輝度）の変化を考慮して第２目標輝度が補正され、補正後の第２目標輝度に基づいて入射輝度が推定される。それにより、入射輝度をより高精度に推定することができ、表示画像の画質の劣化をより高精度に抑制することができる。
【０１１３】
図１１は、本実施例に係る表示装置１０１の構成例を示すブロック図である。図１１では、実施例１（図１）と同じ機能部に対して、実施例１と同じ符号が付されている。図１１に示すように、表示装置１０１は、実施例１の表示装置１の各機能部と、ＢＬ輝度補正部１０２とを有する。
【０１１４】
ＢＬ輝度補正部１０２は、目標輝度が光源部の実際の発光輝度に近づくように時定数β（駆動値の時間変化の抑制度合い）に基づいて第２目標輝度を補正する補正処理を各光源部について行うことにより、各光源部の第３目標輝度を取得する。具体的には、ＢＬ輝度補正部１０２は、駆動値に対する時間ＬＰＦ処理による発光輝度（光源部の発光輝度）の変化を時定数βに基づいて考慮して、第２目標輝度を補正する。それにより、実際の発光輝度に近い第３目標輝度が得られる。そして、ＢＬ輝度補正部１０２は、各光源部の第３目標輝度を入射輝度推定部９へ通知する。本実施例では、入射輝度推定部９は、各光源部の第３目標輝度に基づいて入射輝度を推定する。
【０１１５】
ＢＬ輝度補正部１０２の処理の具体例を説明する。まず、ＢＬ輝度補正部１０２は、以下の式１１を用いて、現フレームの第２目標輝度ＢＬＣ（ｘ，ｙ）と、前フレームの第２目標輝度ＰＲＢＬＣ（ｘ，ｙ）との差分値ΔＢＬＣ（ｘ，ｙ）を算出する。
ΔＢＬＣ（ｘ，ｙ）＝ＢＬＣ（ｘ，ｙ）−ＰＲＢＬＣ（ｘ，ｙ）
・・・（式１１）
【０１１６】
次に、ＢＬ輝度補正部１０２は、以下の式１２を用いて、時定数βと差分値ΔＢＬＣ（ｘ，ｙ）とから変化量ｈΔＢＬＣ（ｘ，ｙ）を算出する。前フレームから現フレームにかけて光源部の発光輝度が増加する場合には、駆動値に対する時間ＬＰＦ処理により、フレーム間における発光輝度の増加量（増加率）が低減される。一方、前フレームから現フレームにかけて光源部の発光輝度が低下する場合には、駆動値に対する時間ＬＰＦ処理により、フレーム間における発光輝度の低下量（低下率）が低減される。式１２を用いることにより、駆動値に対する時間ＬＰＦ処理による発光輝度の変化を考慮して、前フレームから現フレームにかけての光源部の発光輝度の変化量ｈΔＢＬＣ（ｘ，ｙ）を、高精度に推定することができる。
ｈΔ（ｘ，ｙ）＝（１−β）×ΔＢＬＣ（ｘ，ｙ）  ・・・（式１２）
【０１１７】
そして、ＢＬ輝度補正部１０２は、以下の式１３に示すように、前フレームの第２目標輝度ＰＲＢＬＣ（ｘ，ｙ）に変化量ｈΔＢＬＣ（ｘ，ｙ）を加算する。それにより、現フレームの実際の発光輝度に非常に近い第３目標輝度ｈＢＬＣ（ｘ，ｙ）を算出することができる。換言すれば、現フレームの実際の発光輝度を高精度に推定することができる。
ｈＢＬＣ（ｘ，ｙ）＝ＰＲＢＬＣ（ｘ，ｙ）＋ｈΔＢＬＣ（ｘ，ｙ）
・・・（式１３）
【０１１８】
なお、第３目標輝度ｈＢＬＣ（ｘ，ｙ）の決定方法は上記方法に限られない。例えば、以下の方法で第３目標輝度ｈＢＬＣ（ｘ，ｙ）が決定されてもよい。以下の方法によれば、第３目標輝度ｈＢＬＣ（ｘ，ｙ）を、上記方法よりも容易に得ることができる。
【０１１９】
まず、ＢＬ輝度補正部１０２は、以下の式１４を用いて、ゲイン値ｈＧａｉｎを算出する。式１４において、「Ｇａｉｎ」は、時間補正値選択部１６によって選択された時間補正値（ゲイン値）である。例えば、ゲイン値Ｇａｉｎ＝０．８且つ時定数β＝０．７５の場合には、ゲイン値ｈＧａｉｎ＝１−｛（１―０．８）×（１−０．７５）｝＝１−０．０５＝０．９５が得られる。このように、時定数βを用いて時間補正値を補正することにより、時間補正値が１へ近づけられる。ここでは、時間補正値が０．８から０．９５へ増加する。「時間補正値を１へ近づける処理」は、「駆動時間補正部１７の処理による発光輝度の低下量を低減する処理」とも言える。
ｈＧａｉｎ＝１−｛（１−Ｇａｉｎ）×（１−β）｝  ・・・（式１４）
【０１２０】
次に、ＢＬ輝度補正部１０２は、ゲイン値ｈＧａｉｎと第２目標輝度ＢＬＣ（ｘ，ｙ）とから、現フレームの第３目標輝度ｈＢＬＣ（ｘ，ｙ）を算出する。ＢＬ輝度補正部１０２は、以下のように状況に応じて計算式（第３目標輝度ｈＢＬＣ（ｘ，ｙ）を算出するための計算式）を切り替える。それにより、現フレームの実際の発光輝度に近い第３目標輝度ｈＢＬＣ（ｘ，ｙ）を算出することができる。
【０１２１】
（状況１）
状況１は、前フレームから現フレームにかけて光源部の発光輝度が低下する状況である。状況１は、「差分値ΔＢＬＣ（ｘ，ｙ）が負である状況」とも言える。上述したように、状況１に対応する光源部については、駆動値に対する時間ＬＰＦ処理により、フレーム間における発光輝度の低下量（低下率）が低減される。そのため、状況１に対応する光源部については、以下の式１５に示すように、第２目標輝度ＢＬＣ（ｘ，ｙ）にゲイン値ｈＧａｉｎを乗算すればよい。それにより、実際の発光輝度に近い第３目標輝度ｈＢＬＣ（ｘ，ｙ）を算出することができる。
ｈＢＬＣ（ｘ，ｙ）＝ＢＬＣ（ｘ，ｙ）×ｈＧａｉｎ  ・・・（式１５）
【０１２２】
（状況２）
状況２は、前フレームから現フレームにかけて光源部の発光輝度が増加する状況である。状況２は、「差分値ΔＢＬＣ（ｘ，ｙ）が正である状況」とも言える。状況２に対応する光源部については、式１５を用いると、第２目標輝度ＢＬＣ（ｘ，ｙ）よりも低い第３目標輝度ｈＢＬＣ（ｘ，ｙ）が算出されてしまう。即ち、実際の発光輝度と目標輝度との差が増してしまう。上述したように、状況２に対応する光源部については、駆動値に対する時間ＬＰＦ処理により、フレーム間における発光輝度の増加量（増加率）が低減される。そのため、状況２に対応する光源部については、以下の式１６に示すように、第２目標輝度ＢＬＣ（ｘ，ｙ）にゲイン値ｈＧａｉｎの逆数を乗算すればよい。それにより、実際の発光輝度に近い第３目標輝度ｈＢＬＣ（ｘ，ｙ）を算出することができる。
ｈＢＬＣ（ｘ，ｙ）＝ＢＬＣ（ｘ，ｙ）×（１／ｈＧａｉｎ）
・・・（式１６）
【０１２３】
（状況３）
状況３は、前フレームから現フレームにかけて光源部の発光輝度が変化しない状況である。状況３は、「差分値ΔＢＬＣ（ｘ，ｙ）が０である状況」とも言える。状況３に対応する光源部については、式１５を用いて第３目標輝度ｈＢＬＣ（ｘ，ｙ）が算出されてもよいし、式１６を用いて第３目標輝度ｈＢＬＣ（ｘ，ｙ）が算出されてもよい。
【０１２４】
以上述べたように、本実施例によれば、駆動値に対する時間ＬＰＦ処理による発光輝度の変化を考慮して第２目標輝度が補正され、補正後の第２目標輝度に基づいて入射輝度が推定される。それにより、入射輝度をより高精度に推定することができ、表示画像の画質の劣化をより高精度に抑制することができる。
【０１２５】
なお、実施例１，２の装置の各機能部は、個別のハードウェアであってもよいし、そうでなくてもよい。２つ以上の機能部の機能が、共通のハードウェアによって実現されてもよい。１つの機能部の複数の機能のそれぞれが、個別のハードウェアによって実現されてもよい。１つの機能部の２つ以上の機能が、共通のハードウェアによって実現されてもよい。また、各機能部は、ハードウェアによって実現されてもよいし、そうでなくてもよい。例えば、装置が、プロセッサと、制御プログラムが格納されたメモリとを有していてもよい。そして、装置が有する少なくとも一部の機能部の機能が、プロセッサがメモリから制御プログラムを読み出して実行することにより実現されてもよい。
【０１２６】
なお、実施例１，２はあくまで一例であり、本発明の要旨の範囲内で実施例１，２の構成を適宜変形したり変更したりすることにより得られる構成も、本発明に含まれる。実施例１，２の構成を適宜組み合わせて得られる構成も、本発明に含まれる。
【０１２７】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【０１２８】
１，１０１：表示装置  ２：液晶パネル部  ３：バックライトユニット
６：ＢＬ輝度決定部  ７：第１時間ＬＰＦ処理部  ９：入射輝度推定部
１１：画像補正部  １３：駆動時間決定部  １８：第２時間ＬＰＦ処理部
２５：パラメータ設定部
【図１】
2018031955.tif 000003
【図２】
2018031955.tif 000004
【図３】
2018031955.tif 000005
【図４】
2018031955.tif 000006
【図５】
2018031955.tif 000007
【図６】
2018031955.tif 000008
【図７】
2018031955.tif 000009
【図８】
2018031955.tif 000010
【図９】
2018031955.tif 000011
【図１０】
2018031955.tif 000012
【図１１】
2018031955.tif 000013